(57)【要約】【課題】上面よりステム３を突設したエアゾール容器Ａと、該エアゾール容器Ａの上端に装着した櫛型吐出具Ｂとを備え、液吐出後の櫛の操作中に余分な液が吐出することを防止できる櫛型吐出具を備えたエアゾール容器を提案する。【解決手段】櫛型吐出具は、ステムに下端開口を嵌着して起立する吐出管20を備え、吐出管の上端部に吐出管内と連通する吐出孔28を備えた櫛21を設け、更に、吐出管を貫通させた頂板部20の周縁より垂設した周壁部30をエアゾール容器Ａの外周上端部の摺動面ｆに摺動可能に嵌合させている。これにより、櫛により塗布した液を梳く操作中に櫛が横ぶれ等を起こして不用意にステムを押し下げることがなく、無駄な液を吐出しないようにした。【選択図】図１
2007312849.tif 000002
【特許請求の範囲】
【請求項１】
上面よりステム３を突設したエアゾール容器Ａと、該エアゾール容器Ａの上端に装着した櫛型吐出具Ｂとを備え、該櫛型吐出具Ｂは、ステム３に下端開口を嵌着して起立する吐出管20を備えるとともに、吐出管20の上端部に吐出管20内と連通する吐出孔28を備えた櫛21を設け、且つ、吐出管20を貫通させた頂板部29周縁より垂設した周壁部30をエアゾール容器Ａの外周上端部の摺動面ｆに摺動可能に嵌合させたことを特徴とるす櫛型吐出具を備えたエアゾール容器。
【請求項２】
前記吐出管20を、その下端部に於いて前方へ偏心させ、前記頂板部29の後部を押圧部29a として形成してなる請求項１記載の櫛型吐出具を備えたエアゾール容器。
【請求項３】
前記摺動面ｆに突部33を設けるとともに、周壁部30の下端部に切欠部34を設け、該切欠部34は、突部33に当接してステム３の押し下げが不能な状態を維持する第１切欠部34a と、突部33が当接せずにステム３の押し下げが可能な状態を維持する第２切欠部34b とを備え、周壁部30の回動により第１切欠部34a 及び第２切欠部34b 相互の切り換えが可能に構成してなる請求項１又は請求項２のいずれかに記載の櫛型吐出具を備えたエアゾール容器。
【請求項４】
前記摺動面ｆの上下方向中間部に環状凹部８を設けてなる請求項１乃至請求項３のいずれかに記載の櫛型吐出具を備えたエアゾール容器。
【発明の詳細な説明】
【技術分野】
【０００１】
本発明は櫛型吐出具を備えたエアゾール容器に関する。
【背景技術】
【０００２】
エアゾール容器の上端に櫛型の吐出具を嵌着させ、吐出具の押し下げにより容器体内液が吐出具内の流路を介して櫛歯の先端や櫛歯を突設する基板より吐出する如く構成したエアゾール容器が種々提案されている。（例えば、特許文献１参照）
【０００３】
上記特許文献１のものは、エアゾール容器外周上端部に嵌着した筒状の基部と、ステムの上端に嵌着した吐出管の上部に櫛歯を突設するとともに、ステムから吐出管内を介して櫛歯に設けた吐出孔に連通する流路を形成した櫛歯部材とを、揺動可能に連結した櫛型吐出具を備えている。そして、吐出管に設けた押釦を押し下げることによりステムを押し下げ、エアゾール容器内の液を各吐出孔より吐出する如く構成している。
【特許文献１】特開平１０−２７６８３１号公報
【発明の開示】
【発明が解決しようとする課題】
【０００４】
従来の櫛型吐出具を備えたエアゾール容器は、一般に液を吐出しつつ或いは液の吐出後にそのまま櫛歯により毛髪を梳いて液を均一に塗布する如く使用するが、所定量の液が吐出した後櫛歯により毛髪を梳いている際に頭皮や毛髪の抗力で櫛歯が押圧されて横ぶれ等が生じ、ステムを押し下げて液を吐出してしまうという事態を生じることがあり、無駄な液を吐出してしまう結果となる。
【０００５】
本発明は上記した点に鑑みてなされたもので、液吐出後の櫛の操作中に余分な液が吐出することを防止できる櫛型吐出具を備えたエアゾール容器を提案する。また、それに加えて使用しない保管，流通の段階ではステムの押し下げを確実に防止して外力による液の漏出等がないように構成し、使用に当たっては簡単な操作でステムの押し下げが可能な状態に切り換えることができる櫛型吐出具を備えたエアゾール容器を提案する。また、操作が円滑に行えて取り扱上便利な櫛型吐出具を備えたエアゾール容器を提案する。
【課題を解決するための手段】
【０００６】
本発明の櫛型吐出具を備えたエアゾール容器は、エアゾール容器と、櫛型吐出具とを備えている。
【０００７】
エアゾール容器は、上端より上方付勢状態で押し下げ可能にステムを突出した従来使用されている内部構造のものが使用でき、例えば、ステムの押し下げにより内蔵した押し下げ開弁式の吐出弁が開き、ガス圧で収納液がステムの開口より吐出される如く構成したものが使用できる。また、エアゾール容器はその外周上端部に後述する櫛型吐出具の周壁部が摺動する摺動面を備えている。摺動面は上から下迄同径のものであっても、或いは櫛型吐出具の周壁部の形状に併せて径の相違する部分を複合したものであっても良く、周壁部が摺動下降可能な形態であれば良い。エアゾール容器は通常の金属製であっても或いは合成樹脂製であっても良い。
【０００８】
櫛型吐出具は合成樹脂により形成されたもので、ステム３に下端開口を嵌着して起立する吐出管を備えており、吐出管の上端部に吐出管内と連通する吐出口を備えた櫛を設けている。吐出管は下端より上端まで垂直に延びる筒状のものであっても、或いは彎曲させたものであっても良く、また、押圧部の面積を広くする上で下端部に於いて偏心させたものであっても良い。
【０００９】
櫛は、複数の櫛歯を突出したもので、吐出管内と連通する吐出口を備えている。吐出口は単数であっても複数であっても良く、櫛歯が突設されている基部に開口しても、或いは櫛歯にその内部を通って開口する形態のものであっても良い。
【００１０】
また、本発明に於ける櫛型吐出具は吐出管を貫通させた頂板部の周縁より垂設した周壁部をエアゾール容器の摺動面に摺動可能に嵌合させている。このことにより液吐出後或いは吐出しつつ櫛を使用する場合に、櫛が頭皮或いは毛髪から受ける抗力により横ぶれ等が生じるのを防止できる。横ぶれ等が生じると、吐出管を押し下げ牽いてはステムを押し下げて不必要な液を吐出するという不都合を生じる。また、摺動面には周壁部がより円滑に上下動するために摩擦力を低下させる環状凹部を設けても良い。この環状凹部は周壁部の下端部が環状凹部下方の摺動面に当接する状態にある様に設けると良く、その範囲で極力広く設けると良い。尚、本発明に於いて、周壁部が摺動面へ摺動可能に当接するという状態は一般的な当接状態を原則とするが、僅かなクリアランスの存在があっても当然同様の効果が生じるものであり、この形態も含むものとする。
【００１１】
また、本発明では、櫛型吐出具の押し下げ可能状態と、押し下げ不能状態とを、櫛型吐出具を回動することにより現出する構成を設けても良い。
【００１２】
上記課題を解決するための第１の手段として、以下の通り構成した。即ち、上面よりステム３を突設したエアゾール容器Ａと、該エアゾール容器Ａの上端に装着した櫛型吐出具Ｂとを備え、該櫛型吐出具Ｂは、ステム３に下端開口を嵌着して起立する吐出管20を備えるとともに、吐出管20の上端部に吐出管20内と連通する吐出孔28を備えた櫛21を設け、且つ、吐出管20を貫通させた頂板部29周縁より垂設した周壁部30をエアゾール容器Ａの外周上端部の摺動面ｆに摺動可能に嵌合させた。
【００１３】
第２の手段として、以下の通り構成した。即ち、前記第１の手段に於いて、前記吐出管20を、その下端部に於いて前方へ偏心させ、前記頂板部29の後部を押圧部29a として形成した。
【００１４】
第３の手段として、以下の通り構成した。即ち、前記第１の手段又は第２の手段のいずれかの手段に於いて、前記摺動面ｆに突部33を設けるとともに、周壁部30の下端部に切欠部34を設け、該切欠部34は、突部33に当接してステム３の押し下げが不能な状態を維持する第１切欠部34a と、突部33が当接せずにステム３の押し下げが可能な状態を維持する第２切欠部34b とを備え、周壁部30の回動により第１切欠部34a 及び第２切欠部34b 相互の切り換えが可能に構成した。
【００１５】
第４の手段として、以下の通り構成した。即ち、前記第１の手段乃至第３の手段のいずれかの手段に於いて、前記摺動面ｆの上下方向中間部に環状凹部８を設けた。
【発明の効果】
【００１６】
本発明の櫛型吐出具を備えたエアゾール容器は、液の吐出後或いは液を吐出しつつ櫛で毛髪を櫛梳く際に無駄な液の吐出を防止できるものである。
【００１７】
また、前記吐出管20を、その下端部に於いて前方へ偏心させ、前記頂板部29の後部を押圧部29a として形成した場合には、押圧部29a の面積を充分広くとることができ、取り扱いがより便利となる。
【００１８】
また、前記摺動面ｆに突部33を設けるとともに、周壁部30の下端部に切欠部34を設け、該切欠部34は、突部33に当接してステム３の押し下げが不能な状態を維持する第１切欠部34a と、突部33が当接せずにステム３の押し下げが可能な状態を維持する第２切欠部34b とを備え、周壁部30の回動により第１切欠部34a 及び第２切欠部34b 相互の切り換えが可能に構成した場合には、運搬，保管等の不使用時にはステム３の押し下げを防止する状態にしておけば外力による不用意な液の漏出をする等の不都合を防止でき、また、使用の際にはその切り換えを極めて簡単に行える。
【００１９】
また、前記摺動面ｆの上下方向中間部に環状凹部８を設けた場合には、周壁部30の上下動がより円滑に行えるため、操作がより行い易くなる利点がある。
【発明を実施するための最良の形態】
【００２０】
以下、本発明の実施例の形態を図面を参照して説明する。
【００２１】
図１及び図２は本発明櫛型吐出具を備えたエアゾール容器の一例を示し、図中１は櫛型吐出具を備えたエアゾール容器を示す。該櫛型吐出具を備えたエアゾール容器１は、エアゾール容器Ａと、櫛型吐出具Ｂと、キャップＣとを備えている。
【００２２】
エアゾール容器Ａは筒状の胴部２上面中央部よりステム３を突出している。胴部２の外周の上端部は、第１段部４を介して縮径した第１縮径部５と、該第１縮径部５上に連設して第２段部６を介して更に縮径して上端縁に至る第２縮径部７とを設けており、第２縮径部７を摺動面ｆとして構成している。摺動面ｆの上下方向中間部には環状凹部８を凹設している。環状凹部８は、摺動面ｆを下部摺動面fdと上部摺動面fuとに分割し、テーパ状の第３段部９と下向き段部10との間に凹設している。ステム３は胴部２内に内蔵した押し下げ開弁式の吐出弁（図示せず）と連動して上方付勢状態で押し下げ可能に突出しており、押し下げにより吐出弁を開弁してガス圧で液体を噴出する如く構成している。
【００２３】
櫛型吐出具Ｂは合成樹脂により形成しており、ステム３に下端開口を液密に嵌着して上方へ起立する吐出管20を備えている。吐出管20は下端部において前方へ偏心させて内部の流路ｐが側面視クランク状に曲折して上方に起立している。また、吐出管20の上端部には櫛21を連設している。櫛21は、吐出管20上端に下端部を連設した縦長矩形状で中央部に嵌合凹部22を凹設し、且つ、後方へ傾く基板23と、該基板23内に嵌着した固定板24表面から突設した多数の櫛歯25とを備えており、固定板24裏面中央部には流路形成用凹部26を凹設するとともに、該流路形成用凹部26と吐出管20内とを連通する連通孔27を基板23に穿設し、さらに、固定板24に流路形成用凹部26内と連通する複数の吐出孔28を穿設し、もって、吐出管20内より連通孔27，流路形成用凹部26を通り各吐出孔28に至る流路ｐを形成している。
【００２４】
更に、吐出管20を貫通させた頂板部29を備え、頂板部29の周縁より垂設した周壁部30をエアゾール容器Ａの摺動面ｆに摺動可能に嵌合させている。頂板部29の前部は吐出管20下部の後方を除く周囲に錐形に設け、後部は水平な押圧部29a として構成している。尚、櫛型吐出具Ｂの非押し下げ状態でその周壁部30が上部摺動面fu及び下部摺動面fdのいずれの摺動面にも当接する如く構成している。また、櫛型吐出具Ｂを押し下げた際に周壁部30下面が第２段部６に当接してそれ以上の押し下げを防止する如く構成している。また、周壁部30内面に周方向複数の係止突条31を突設し、環状凹部８の下向き段部10と当接して周壁部30の抜け出しを防止する如く構成している。
【００２５】
キャップＣは合成樹脂製で、下端を開口した有頂筒状で、櫛型吐出具Ｂを被覆するとともに、周壁40の下端部を第１縮径部５外周に嵌合させて着脱可能に装着している。
【００２６】
上記の如く構成した櫛型吐出具を備えたエアゾール容器１を使用する場合は、図１の状態からキャップＣを外し、押圧部29a を押圧することによりステム３を押し下げて液を吐出孔28より吐出する。そして、塗布しつつ櫛歯25で毛髪を梳かすことができる。また、液の吐出後にさらに櫛により塗布液を均一化させる際に櫛21のぶれを極力おさえ無駄な吐出が防止される。
【００２７】
図３乃至図５は他の例を示すもので、本例では、図１の例に於いて、第１縮径部５と第２縮径部７とで摺動面ｆを構成している。従って、第１縮径部５で構成する第１摺動面f1と、第２縮径部７で構成し且つ環状凹部８で上下に分割された第２下部摺動面f2d 及び第２上部摺動面f2u とで摺動面ｆを構成している。また、周壁部30の下端部を第１摺動面f1外周に摺動可能な如くフランジ部32を介して大径部30a に形成している。また、摺動面ｆの下端部である第１摺動面f1に突部33を設け、また、突部33が下面に当接してステム３の押し下げが不能な状態と、突部33が当接せずにステム３の押し下げが可能な状態との切り換えが周壁部30の回動により可能に構成した切欠部34を周壁部30の下端部に設けている。突部33は正面視矩形状をなし、また、切欠部34は、ステム３の押し下げが不能な状態を現出する丈の短い第１切欠部34a と、ステム３の押し下げが可能な状態を現出する縦長な第２切欠部34b とを横に連設して周壁部30の回動により突部33が相互の位置に回動できる如く構成している。また、キャップＣはフランジ部32上に周壁40下面を当接して着脱可能に装着する如く構成している。その他は図１の例と同様であるため説明を省略する。
【００２８】
この場合には、図３の如く突部33が第１切欠部34a の位置にある場合は櫛型吐出具Ｂの押し下げができず、その結果、ステム３の押し下げができない為液の吐出ができず、また、周壁部30を回動させて突部33を第２切欠部34b の位置に回動させると、液の吐出が可能となる。その他の作用は図１の例と同様である。
【図面の簡単な説明】
【００２９】
【図１】本発明エアゾール容器の一部切欠側面図である。（実施例１）
【図２】本発明エアゾール容器の一部切欠正面図である。（実施例１）
【図３】本発明エアゾール容器の一部切欠側面図である。（実施例２）
【図４】本発明エアゾール容器の一部切欠側面図である。（実施例２）
【図５】本発明エアゾール容器の一部切欠正面図である。（実施例２）
【符号の説明】
【００３０】
１…櫛型吐出具を備えたエアゾール容器
Ａ…エアゾール容器
２…胴部，３…ステム，４…第１段部，５…第１縮径部，６…第２段部，
７…第２縮径部，８…環状凹部，９…第３段部，10…下向き段部，ｆ…摺動面，
fd…下部摺動面，fu…上部摺動面，f1…第１摺動面，f2d …第２下部摺動面，
f2u …第２上部摺動面
Ｂ…櫛型吐出具
20…吐出管，21…櫛，22…嵌合凹部，23…基板，24…固定板，25…櫛歯，
26…流路形成用凹部，27…連通孔，28…吐出孔，29…頂板部，29a …押圧部，
30…周壁部，30a …大径部，31…係止突条，32…フランジ部，33…突部，
34…切欠部，34a …第１切欠部，34b …第２切欠部
Ｃ…キャップ
40…周壁
【図１】
2007312849.tif 000003
【図２】
2007312849.tif 000004
【図３】
2007312849.tif 000005
【図４】
2007312849.tif 000006
【図５】
2007312849.tif 000007